(57)【特許請求の範囲】
【請求項１】
キャリヤテープに取り付けられてカバーテープで覆われた部品を供給するテーピング式電子部品用パーツフィーダーによりリールに巻き取られたカバーテープをリールから除去するためのカバーテープ除去装置であって、
カバーテープを巻き取った前記リールを配置するためのリール配置部と、
前記リール配置部に配置された前記リールから前記カバーテープを吸引するテープ吸引装置と、
前記パーツフィーダーを配置するためのフィーダー配置部と、
前記フィーダー配置部に配置された前記パーツフィーダーをブラッシングするためのブラッシング装置と、
ブラッシングにより前記パーツフィーダーから分離した屑を吸引するよう前記パーツフィーダーを吸引する屑吸引装置とを有し、
前記テープ吸引装置と前記屑吸引装置とは、共通する１個の装置から成っていることを、
特徴とするカバーテープ除去装置。
【発明の詳細な説明】
【技術分野】
【０００１】
本発明は、キャリヤテープに取り付けられてカバーテープで覆われた部品を供給するテーピング式電子部品用パーツフィーダーによりリールに巻き取られたカバーテープをリールから除去するためのカバーテープ除去装置に関する。
【背景技術】
【０００２】
従来、チップマウンター等の電子部品装着機でプリント基板へ電子部品を搭載する工程では、テーピング式電子部品用パーツフィーダーを用いて、キャリヤテープ（台紙）に取り付けられてカバーテープ（トップテープ）で覆われた電子部品を基板に供給し、剥離したカバーテープをリールに巻き取っている（特許文献１参照）。リールに巻き取られたカバーテープは作業者によって巻き戻されて廃棄されるか、あるいはカッターナイフで切断されて廃棄されている。
【０００３】
【特許文献１】特開平１１−３５４９８９号公報
【発明の開示】
【発明が解決しようとする課題】
【０００４】
しかしながら、電子部品搭載タクトが0.1秒と高速実装されている環境に於いて、カバーテープの除去に平均１２秒程の時間が使われている。１ケ月に１万回前後の部品補給作業があるとすると、カバーテープの除去時間が電子部品実装の生産効率を向上させる上で大きな障害になるという課題があった。
【０００５】
本発明は、このような従来の課題に着目してなされたもので、電子部品実装の生産効率の向上を図ることができるカバーテープ除去装置を提供することを目的とする。
【課題を解決するための手段】
【０００６】
上記目的を達成するために、本発明に係るカバーテープ除去装置は、キャリヤテープに取り付けられてカバーテープで覆われた部品を供給するテーピング式電子部品用パーツフィーダーによりリールに巻き取られたカバーテープをリールから除去するためのカバーテープ除去装置であって、カバーテープを巻き取った前記リールを配置するためのリール配置部と、前記リール配置部に配置された前記リールから前記カバーテープを吸引するテープ吸引装置と、前記パーツフィーダーを配置するためのフィーダー配置部と、前記フィーダー配置部に配置された前記パーツフィーダーをブラッシングするためのブラッシング装置と、ブラッシングにより前記パーツフィーダーから分離した屑を吸引するよう前記パーツフィーダーを吸引する屑吸引装置とを有し、前記テープ吸引装置と前記屑吸引装置とは、共通する１個の装置から成っていることを、特徴とする。
【０００７】
本発明に係るカバーテープ除去装置では、カバーテープを巻き取ったリールをリール配置部に配置し、テープ吸引装置により、リールから巻かれたカバーテープを吸引することができる。吸引により、リールからカバーテープを迅速かつ容易に除去することができ、カバーテープの除去時間の短縮によって、電子部品実装の生産効率の向上を図ることができる。
【０００９】
本発明に係るカバーテープ除去装置では、パーツフィーダーをフィーダー配置部に配置し、ブラッシング装置によりパーツフィーダーをブラッシングし、屑吸引装置により、パーツフィーダーから分離した屑を吸引することができる。これによって、パーツフィーダーに付着する紙製付着物およびエンボス製の静電気を帯びた付着物などを除去することができ、それらの付着物による動作不良を抑制して、部品の装着率の低下防止を図ることができる。
なお、テープ吸引装置の排出側および屑吸引装置の排出側には、回収容器が設けられていることが好ましい。
【発明の効果】
【００１０】
本発明によれば、電子部品実装の生産効率の向上を図ることができるカバーテープ除去装置を提供することができる。
【発明を実施するための最良の形態】
【００１１】
以下、図面に基づき、本発明の実施の形態について説明する。
図１〜図４は、本発明の実施の形態のカバーテープ除去装置を示している。
カバーテープ除去装置は、本体１と、リール配置部２と、リール検出センサ３と、テープ吸引装置４と、フィーダー配置部５と、フィーダー検出センサ６と、ブラッシング装置７と、屑吸引装置８とを有している。カバーテープ除去装置は、図５に示すテーピング式電子部品用パーツフィーダーＡによりリールＢに巻き取られたカバーテープをリールＢから除去するための装置である。パーツフィーダーＡは、キャリヤテープに取り付けられてカバーテープで覆われた部品を供給する装置である。
【００１２】
本体１は、全体が直方体状の函体から成っている。本体１の正面には、開閉可能な扉１１が取り付けられている。本体１の底部には、キャスター１２が取り付けられている。リール配置部２は、本体１の上面に形成された開口から成っている。リールＢは、カバーテープの巻取部と、巻取部の端面に着脱可能に設けられた円形の蓋部とから成っている。蓋部は、カバーテープを巻き取った巻取部の径より径が大きく、中央に巻取部の内側に通じる孔を有している。リール配置部２は、カバーテープを巻き取った巻取部の径より大きく、蓋部の径より小さくなっている。リールＢは、蓋部をリール配置部２の縁部に配置し、蓋部で支持して巻取部をリール配置部２に収容することにより配置される。リール検出センサ３は、リール配置部２の内面に設けられ、リール配置部２にリールＢが配置されたことを検出するようになっている。
【００１３】
テープ吸引装置４は、真空発生器から成り、本体１の内部に収容されている。テープ吸引装置４は、フィルターレギュレター１３に接続されている。テープ吸引装置４は、吸引口がリール配置部２に連通している。テープ吸引装置４は、タイマーおよびリレイ装置と、ソレノイドバルブとを有している。テープ吸引装置４は、リール検出センサ３の検出信号を受けて、タイマーおよびリレイ装置が作動するとともに、ソレノイドバルブのスイッチがオンになって吸引口から電動で吸引し、設定した所定時間が経過したときタイマーおよびリレイ装置によりソレノイドバルブのスイッチがオフになり、吸引を停止するようになっている。テープ吸引装置４は、吸引口からの吸引により、リール配置部２に配置されたリールＢからカバーテープを吸引して除去する。
【００１４】
フィーダー配置部５は、本体１の上面に形成された開口から成っている。フィーダー配置部５は、図５に示すパーツフィーダーＡのフィード機構を挿入して配置可能となっている。フィーダー配置部５は、パーツフィーダーＡを配置したときロックするワンタッチロック機構を有している。フィーダー検出センサ６は、フィーダー配置部５の内面に設けられ、フィーダー配置部５にパーツフィーダーＡが配置されロックされたことを検出するようになっている。
【００１５】
ブラッシング装置７は、本体１の内部に収容されている。ブラッシング装置７は、タイマーおよびリレイ装置を有している。ブラッシング装置７は、フィーダー検出センサ６の検出信号を受けて、タイマーおよびリレイ装置が作動してヘリカルクリーニングブラシをモーターにより回転させ、フィーダー配置部５に挿入されたフィード機構をブラッシングし、設定した所定時間が経過したときタイマーおよびリレイ装置によりブラッシングを停止するようになっている。
【００１６】
屑吸引装置８は、真空発生器から成り、本体１の内部に収容されている。屑吸引装置８は、フィルターレギュレター１３に接続されている。屑吸引装置８は、ソレノイドバルブを有している。屑吸引装置８は、フィーダー検出センサ６の検出信号を受けて、タイマーおよびリレイ装置が作動するとともに、ソレノイドバルブのスイッチがオンになって吸引口から電動で吸引し、設定した所定時間が経過したときタイマーおよびリレイ装置によりソレノイドバルブのスイッチがオフになり、吸引を停止するようになっている。屑吸引装置８は、吸引口からの吸引によってパーツフィーダーＡを吸引し、ブラッシングによりパーツフィーダーＡから分離した屑を吸引するようになっている。
【００１７】
テープ吸引装置４および屑吸引装置８の排気は、本体１の側面のエアーフィルター１４を通して外部に排出される。本体１の内部には、吸引したカバーテープが満杯になったことを検出するセンサが設けられていてもよい。
【００１８】
次に、作用について説明する。
カバーテープ除去装置は、好適には１００Ｖ電源で作動する。フィルターレギュレータにエアーを供給する。カバーテープを巻き取ったリールＢをリール配置部２に配置すると、リール検出センサ３が検出し、テープ吸引装置４により、任意に設定したタイマー設定時間、リールＢに巻かれたカバーテープを吸引することができる。吸引されたカバーテープは、本体１内に収容され、扉１１をあけて廃棄することができる。吸引により、リールＢからカバーテープを迅速かつ容易に除去することができ、カバーテープの除去時間の短縮によって、電子部品実装の生産効率の向上を図ることができる。
【００１９】
また、パーツフィーダーＡをフィーダー配置部５に挿入して配置し、ブラッシング装置７によりパーツフィーダーＡをブラッシングし、屑吸引装置８により、パーツフィーダーＡから分離した台紙カット屑などの屑を吸引することができる。吸引された付着物等の屑は、本体１内に収容され、扉１１をあけて廃棄することができる。これによって、パーツフィダーに付着する紙製付着物およびエンボス製の静電気を帯びた付着物などを除去することができ、それらの付着物による動作不良を抑制して、部品の装着率の低下防止を図ることができる。
【００２０】
カバーテープ除去装置により、作業者の付随作業を軽減させることが可能となり、電子部品実装の生産性を向上させることができる。さらに、時間的な余裕が生まれることにより、作業者は品質に関する業務に時間を転向させることが可能となり、品質の向上を図ることができる。カバーテープ除去装置は、低コストで瞬時にカバーテープを除去することができ、真空ポンプやブロワーモータを使用せずに、カバーテープの除去に必要な限定された時間のみ吸引動作をさせることができる。また、省スペース化が可能である。
【００２１】
カバーテープ除去装置の導入試験の結果、カバーテープの除去スピードは、１リールＢに巻かれた１７ｍのカバーテープに対し２〜６秒であった。従って、従来の手作業による除去時間に比べて約7秒の時間短縮が可能となる。これにより、1ヶ月の作業回数を１０，０００回としたとき、約２０時間の短縮効果を見込むことができる。
【図面の簡単な説明】
【００２２】
【図１】本発明の実施の形態のカバーテープ除去装置を示す平面図である。
【図２】図１のカバーテープ除去装置を示す側面図である。
【図３】図１のカバーテープ除去装置の内部構造を示す説明断面図である。
【図４】図１のカバーテープ除去装置を示す背面図である。
【図５】図１のカバーテープ除去装置に配置可能なパーツフィーダーを示す側面図である。
【符号の説明】
【００２３】
１    本体
２    リール配置部
３    リール検出センサ
４    テープ吸引装置
５    フィーダー配置部
６    フィーダー検出センサ
７    ブラッシング装置
８    屑吸引装置
Ａ    テーピング式電子部品用パーツフィーダー
Ｂ    リール
【要約】
【課題】電子部品実装の生産効率の向上を図ることができるカバーテープ除去装置を提供する。
【解決手段】
リール配置部２に、カバーテープを巻き取ったリールを配置する。テープ吸引装置がリール配置部２に配置されたリールからカバーテープを吸引する。こうして、キャリヤテープに取り付けられてカバーテープで覆われた部品を供給するテーピング式電子部品用パーツフィーダーによりリールに巻き取られたカバーテープをリールから除去する。フィーダー配置部５に、パーツフィーダーを配置する。ブラッシング装置７が、フィーダー配置部５に配置されたパーツフィーダーをブラッシングする。屑吸引装置が、ブラッシングによりパーツフィーダーから分離した屑を吸引するようパーツフィーダーを吸引する。
【選択図】図１
【図１】
0003655918.tif 000002
【図２】
0003655918.tif 000003
【図３】
0003655918.tif 000004
【図４】
0003655918.tif 000005
【図５】
0003655918.tif 000006